(57)【要約】  入力要素選択情報表示の方法及び装置が開示され、該入力要素選択情報の表示方法は、現在選択されている入力要素から他の入力要素に、入力要素選択の移動を要請される段階、該要請によって選択される入力要素が何であるかを表示するためのプレビュー情報を生成する段階、及び該プレビュー情報を該メニュー情報上にディスプレイする段階を含む。
2011509482.tif 000002
【特許請求の範囲】
【請求項１】
少なくとも１つの入力要素を含むメニュー情報上に、入力要素選択情報を表示する方法において、
現在選択されている入力要素から他の入力要素に、入力要素選択の移動を要請される段階と、
前記入力要素選択移動の要請によって選択される入力要素が何であるかを表示するためのプレビュー情報を生成する段階と、
前記プレビュー情報を前記メニュー情報上にディスプレイする段階と、を含むことを特徴とする入力要素選択情報の表示方法。
【請求項２】
ユーザから前記プレビュー情報生成を要請される段階をさらに含み、
前記プレビュー情報を生成する段階は、前記ユーザからの前記プレビュー情報の生成要請によって行われることを特徴とする請求項１に記載の入力要素選択情報の表示方法。
【請求項３】
入力要素選択移動のために、前記入力要素選択の移動を要請される段階は、
前記メニュー情報のうち、前記現在選択されている入力要素から上下左右のうち１つの方向に、前記現在選択されている入力要素に最も隣接して位置した入力要素に、前記入力要素選択の移動を要請される段階を含むことを特徴とする請求項１に記載の入力要素選択情報の表示方法。
【請求項４】
前記プレビュー情報を生成する段階は、
前記入力要素選択移動の要請によって選択される入力要素を識別する段階と、
前記識別された入力要素の位置情報並びにサイズ情報を抽出する段階と、
前記抽出された位置情報並びにサイズ情報を利用し、前記識別された入力要素を表示するプレビュー情報を生成する段階と、を含むことを特徴とする請求項３に記載の入力要素選択情報の表示方法。
【請求項５】
前記プレビュー情報を生成する段階は、前記現在選択されている入力要素と前記識別された入力要素とを連結する線を、前記プレビュー情報に生成する段階を含み、
前記プレビュー情報をディスプレイする段階は、前記生成された線を、前記メニュー情報上に表示する段階を含むことを特徴とする請求項４に記載の入力要素選択情報の表示方法。
【請求項６】
少なくとも１つの入力要素を含むメニュー情報上に、入力要素選択情報を表示する方法において、
現在ディスプレイされているメニュー情報に含まれた各入力要素に、前記各入力要素選択のためのアクセスキー表示情報をディスプレイすることを要請される段階と、
前記要請に相応し、前記各入力要素選択のためのアクセスキー表示情報を、前記各入力要素に表示する段階と、を含むことを特徴とする入力要素選択情報の表示方法。
【請求項７】
前記アクセスキー表示情報を前記各入力要素にディスプレイする段階は、
前記現在ディスプレイされているメニュー情報に含まれた前記各入力要素に、前記各入力要素選択のためのアクセスキー情報が割り当てられているか否かを判断する段階と、
前記各入力要素に前記アクセスキー情報が割り当てられている場合、前記割り当てられたアクセスキー情報を利用し、前記アクセスキー表示情報を生成する段階と、
前記生成されたアクセスキー表示情報を、前記各入力要素に表示する段階と、を含むことを特徴とする請求項６に記載の入力要素選択情報の表示方法。
【請求項８】
前記アクセスキー表示情報を生成する段階は、
前記アクセスキー情報が割り当てられた各入力要素の位置情報並びにサイズ情報を獲得する段階と、
前記各入力要素に割り当てられた前記アクセスキー情報、前記各入力要素の位置情報並びにサイズ情報を利用し、前記アクセスキー表示情報を生成する段階と、を含むことを特徴とする請求項７に記載の入力要素選択情報の表示方法。
【請求項９】
少なくとも１つの入力要素を含むメニュー情報上に、入力要素選択情報を表示する入力要素選択情報の表示装置において、
現在選択されている入力要素から他の入力要素に、入力要素選択の移動要請されるユーザ・インターフェースと、
前記ユーザ・インターフェースを介した前記要請によって選択される入力要素が何であるかを表示するためのプレビュー情報を生成するプレビュー情報生成部と、
前記生成されたプレビュー情報を前記メニュー情報上にディスプレイする出力部と、
前記装置全般を制御し、前記ユーザ・インターフェースを介した入力要素選択移動の要請によって、前記プレビュー情報を生成させ、これを出力させる制御部と、を含むことを特徴とする入力要素選択情報の表示装置。
【請求項１０】
前記ユーザ・インターフェースは、プレビュー情報の生成要請を受け、これを前記制御部に知らせ、前記制御部は、前記プレビュー情報の生成要請によって前記装置を制御し、前記プレビュー情報を生成させ、これを出力させることを特徴とする請求項９に記載の入力要素選択情報の表示装置。
【請求項１１】
前記ユーザ・インターフェースは、
前記メニュー情報のうち、前記現在選択されている入力要素から上下左右のうち１つの方向に、前記現在選択されている入力要素に最も隣接して位置した入力要素に、前記入力要素選択の移動を要請されることを特徴とする請求項９に記載の入力要素選択情報の表示装置。
【請求項１２】
前記制御部は、前記入力要素選択移動の要請によって選択される入力要素を識別し、前記識別された入力要素を前記プレビュー情報生成部に知らせ、
前記プレビュー情報生成部は、前記識別された入力要素の位置情報並びにサイズ情報を利用し、前記識別された入力要素を表示するプレビュー情報を生成することを特徴とする請求項１１に記載の入力要素選択情報の表示装置。
【請求項１３】
前記プレビュー情報生成部は、
前記現在選択されている入力要素と前記識別された入力要素とを連結する線を、前記プレビュー情報に生成し、
前記出力部は、前記生成された線を前記メニュー情報上に表示することを特徴とする請求項１２に記載の入力要素選択情報の表示装置。
【請求項１４】
前記装置は、複数のユーザ・インターフェースを含み、前記ユーザ・インターフェースは、前記プレビュー情報入力のための専用キーを含むことを特徴とする請求項１０に記載の入力要素選択情報の表示装置。
【請求項１５】
前記ユーザ・インターフェースは、二段押し機能が支援され、前記制御部は、前記ユーザ・インターフェースが半押し状態で、前記制御部に入力要素選択の移動を要請する場合には、プレビュー情報を生成し、前記ユーザ・インターフェースが完全押し状態で、前記入力要素選択の移動を要請する場合には、プレビュー情報を生成しないことを特徴とする請求項１０に記載の入力要素選択情報の表示装置。
【請求項１６】
少なくとも１つの入力要素を含むメニュー情報上に、入力要素選択情報を表示する入力要素選択情報の表示装置において、
現在ディスプレイされているメニュー情報に含まれた各入力要素に、前記各入力要素選択のためのアクセスキー表示情報をディスプレイすることを要請されるユーザ・インターフェースと、
前記要請に相応し、前記各入力要素選択のためのアクセスキー表示情報を生成するアクセスキー表示情報生成部と、
前記生成されたアクセスキー表示情報を前記各入力要素にディスプレイする出力部と、
前記装置全般を制御し、前記ユーザ・インターフェースを介した前記アクセスキー表示情報ディスプレイ要請によって、前記アクセスキー表示情報を生成させ、これを出力させる制御部と、を含むことを特徴とする入力要素選択情報の表示装置。
【請求項１７】
前記アクセスキー表示情報生成部は、
前記現在ディスプレイされているメニュー情報に含まれた前記各入力要素に、前記各入力要素選択のためのアクセスキー情報が割り当てられている場合、前記割り当てられたアクセスキー情報を利用し、前記アクセスキー表示情報を生成することを特徴とする請求項１６に記載の入力要素選択情報の表示装置。
【請求項１８】
前記アクセスキー表示情報生成部は、
前記アクセスキー情報が割り当てられた各入力要素の位置情報並びにサイズ情報を獲得し、前記各入力要素に割り当てられたアクセスキー情報、前記各入力要素の位置情報並びにサイズ情報を利用し、前記アクセス表示情報を生成することを特徴とする請求項１７に記載の入力要素選択情報の表示装置。
【請求項１９】
前記ユーザ・インターフェースは、
前記アクセスキー表示情報を表示することを要請される専用キーであることを特徴とする請求項１６に記載の入力要素選択情報の表示装置。
【請求項２０】
一つ以上のコンピュータを利用し、請求項１に記載の入力要素選択情報の表示方法を実行するためのプログラムを保存したコンピュータで読み取り可能な記録媒体。
【請求項２１】
一つ以上のコンピュータを利用し、請求項６に記載の入力要素選択情報の表示方法を実行するためのプログラムを保存したコンピュータで読み取り可能な記録媒体。
【請求項２２】
現在選択されているユーザ・インターフェース要素を決定する段階と、
前記現在選択されているユーザ・インターフェース要素に基づいて、ユーザ入力デバイスを介した複数の指示それぞれの入力の結果に対応するプレビュー情報を表示する段階と、を含むユーザ・インターフェースで行われることを特徴とするプレビュー情報表示方法。
【請求項２３】
前記プレビュー情報を表示する段階は、
前記ユーザ・インターフェースに複数のアクセス情報を表示する段階からなり、
ここで、前記複数のアクセス情報それぞれは、前記ユーザ・インターフェースに表示される複数のユーザ・インターフェース要素のうち対応する一つにディスプレイされてオーバーラップされ、
ここで、前記複数のアクセス情報それぞれは、前記複数の指示のうち対応する１つの入力結果に対応することを特徴とする請求項２２に記載のプレビュー情報表示方法。
【請求項２４】
それぞれの指示は、前記ユーザ・インターフェースデバイスに係わるボタンに対応することを特徴とする請求項２３に記載のプレビュー情報表示方法。
【請求項２５】
ユーザ・インターフェースを介した入力要素選択移動の要請によって、複数の入力要素のうち選択される入力要素を指すプレビュー情報を生成するプレビュー情報生成部と、
前記メニューに前記生成されたプレビュー情報を表示する出力部と、
前記装置が前記入力要素選択移動の要請によって、前記プレビュー情報を生成し、前記生成されたプレビュー情報を出力するように制御する制御部と、を含むことを特徴とするメニューに入力要素選択情報を表示する装置。
【請求項２６】
それぞれの入力要素についてのアクセスキー表示情報を生成するアクセスキー表示生成部と、
前記生成されたアクセスキー表示情報が対応する入力要素にオーバーラップされるように、前記生成されたアクセスキー表示情報を出力する出力部と、
前記アクセスキー表示情報を生成させ、前記生成されたアクセスキー表示情報を出力するように、前記装置を制御する制御部と、を含むことを特徴とする少なくとも１つのエレメントを含むメニューに入力要素選択情報を表示する装置。
【発明の詳細な説明】
【技術分野】
【０００１】
本発明の実施形態は、入力要素選択情報表示の方法及び装置に係り、さらに具体的には、ユーザが入力要素を選択する前に、あらかじめユーザに選択される入力要素についての情報を提供し、ユーザの入力要素選択を容易にするボタン選択情報表示の方法及び装置に関する。
【背景技術】
【０００２】
技術の発達により、ユーザとの相互作用が強化されたマルチメディアが広く提供されている。かようなマルチメディアは、ＡＶ（audio−video）データ以外にも、ユーザ所望の多様な付加情報を提供できる。ユーザは、動映像でディスプレイされるＡＶデータ以外にも、ＡＶデータと共に画面にディスプレイされるインタラクティブ・データを利用し、動映像に係わる付加情報を享受することができる。ユーザは、リモコン、マウス、キーボードまたはタッチパッドのようなユーザ入力装置を利用し、画面にディスプレイされる多様なインタラクティブ・データのうち、所望の情報を選択できる。
【０００３】
図１は、ユーザが選択できる多様なインタラクティブ情報を提供するメニュー画面を図示した図である。図１を参照するに、ユーザは、インタラクティブ情報提供画面１００に含まれている複数のメニューから、所望の項目を選択できる。各メニューは、ボタンで表示され、ユーザは、リモコンなどの入力装置を利用し、所望のメニューに相応するボタンを選択して実行させることによって、特定メニューを実行させることができる。
【０００４】
図１のように、所定のボタン１０１が選択された状態で、ユーザが、入力装置に右側方向キーなどを入力する場合、オーディオ項目の「Francis  Lawrence  and  Aldva  Goldsman」１０３ボタンが選択されるか、「Trailers」（１０５）ボタンが選択されるかが明確ではない。従って、ユーザは、どのボタンが選択されるかが明確ではない状態でボタンを選択することになり、何回もボタン選択せねばならず、これによって、不要な時間及び努力がかかるという問題がある。
【０００５】
また、各メニューを表示するボタンに、コンテンツ制作者によって、アクセスキー（access  key）が付与された場合、制作者がアクセスキーを別途に表示しない場合、ユーザは、アクセスキーが存在するか否かを認識できず、アクセスキーが存在することを認識した場合にも、どのボタンにいかなるアクセスキーがマッピングされているかが分からないので、アクセスキー使用が活性化されえないという問題がある。
【０００６】
ブルーレイ・ディスク（ＢＤ）／ＨＤ  ＤＶＤの再生画面は、多様であって複雑なインタラクティブ・メニューを提供するために、ユーザとしてメニュー選択に混同を引き起きさせる。
【発明の概要】
【発明が解決しようとする課題】
【０００７】
本発明は、ユーザが入力要素選択の移動を要請する場合、選択される入力要素が何であるかを表示する情報を生成し、これをユーザに提供することによって、ユーザがたやすくメニュー選択を行うことができる入力要素選択情報表示の方法及び装置を提供するものである。
【課題を解決するための手段】
【０００８】
前記課題を解決するために、本発明の一側面によれば、少なくとも１つの入力要素を含むメニュー情報上に、入力要素選択情報を表示する方法において、現在選択されている入力要素から他の入力要素に、入力要素選択の移動を要請される段階、前記要請によって選択される入力要素が何であるかを表示するためのプレビュー情報を生成する段階、及び前記プレビュー情報を前記メニュー情報上にディスプレイする段階を含むことを特徴とする入力要素選択情報表示方法を提供できる。
【０００９】
望ましい実施形態で、前記方法は、ユーザから前記プレビュー情報生成を要請される段階をさらに含み、前記プレビュー情報を生成する段階は、前記ユーザからの前記プレビュー情報生成要請によって行われることを特徴とする。また、前記入力要素選択の移動を要請される段階は、前記メニュー情報のうち、前記現在選択されている入力要素から上下左右のうち１つの方向に、前記現在選択されている入力要素に最も隣接して位置した入力要素に、前記入力要素選択の移動を要請される段階を含むことを特徴とする。また、前記プレビュー情報を生成する段階は、前記入力要素選択移動の要請によって選択される入力要素を識別する段階、前記識別された入力要素の位置情報並びにサイズ情報を抽出する段階、及び前記抽出された位置情報並びにサイズ情報を利用し、前記識別された入力要素を表示するプレビュー情報を生成する段階を含むことを特徴とする。また、前記プレビュー情報を生成する段階は、前記現在選択されている入力要素と前記識別された入力要素とを連結する線を前記プレビュー情報に生成する段階を含み、前記プレビュー情報をディスプレイする段階は、前記生成された線を前記メニュー情報上に表示する段階を含むことを特徴とする。
【００１０】
本発明の他の側面によれば、少なくとも１つの入力要素を含むメニュー情報上に、入力要素選択情報を表示する方法において、現在ディスプレイされているメニュー情報に含まれた各入力要素に、前記各入力要素選択のためのアクセスキー表示情報をディスプレイすることを要請される段階、前記要請に相応し、前記各入力要素選択のためのアクセスキー表示情報を、前記各入力要素に表示する段階を含むことを特徴とする入力要素選択情報表示の方法を提供できる。
【００１１】
望ましい実施形態で、前記アクセスキー表示情報を前記各入力要素にディスプレイする段階は、前記現在ディスプレイされているメニュー情報に含まれた前記各入力要素に、前記各入力要素選択のためのアクセスキー情報が割り当てられているか否かを判断する段階、前記各入力要素に前記アクセスキー情報が割り当てられている場合、前記割り当てられたアクセスキー情報を利用し、前記アクセスキー表示情報を生成する段階、及び前記生成されたアクセスキー表示情報を、前記各入力要素に表示する段階を含むことを特徴とする。また、前記アクセスキー表示情報を生成する段階は、前記アクセスキー情報が割り当てられた各入力要素の位置情報並びにサイズ情報を確認する段階、及び前記各入力要素に割り当てられた前記アクセスキー情報、前記各入力要素の位置情報並びにサイズ情報を利用し、前記アクセスキー表示情報を生成する段階を含むことを特徴とする。
【００１２】
本発明のさらに他の側面によれば、少なくとも１つの入力要素を含むメニュー情報上に、入力要素選択情報を表示する入力要素選択情報表示の装置において、現在選択されている入力要素から他の入力要素に、入力要素選択の移動を要請されるユーザインターフェース、前記ユーザインターフェースを介した前記要請によって選択される入力要素が何であるかを表示するためのプレビュー情報を生成するプレビュー情報生成部、前記生成されたプレビュー情報を前記メニュー情報上にディスプレイする出力部、及び前記装置全般を制御し、前記ユーザインターフェースを介した入力要素選択移動の要請によって、前記プレビュー情報を生成させ、これを出力させる制御部を含むことを特徴とする入力要素選択情報表示の装置を提供できる。
【００１３】
本発明のさらに他の側面によれば、少なくとも１つの入力要素を含むメニュー情報上に、入力要素選択情報を表示する入力要素選択情報表示の装置において、現在ディスプレイされているメニュー情報に含まれた各入力要素に、前記各入力要素選択のためのアクセスキー表示情報をディスプレイすることを要請されるユーザインターフェース、前記要請に相応して前記各入力要素選択のためのアクセスキー表示情報を生成するアクセスキー表示情報生成部、前記生成されたアクセスキー表示情報を前記各入力要素にディスプレイする出力部、及び前記装置全般を制御し、前記ユーザインターフェースを介した前記アクセスキー表示情報ディスプレイ要請によって、前記アクセスキー表示情報を生成させ、これを出力させる制御部を含むことを特徴とする入力要素選択情報表示の装置を提供できる。
【００１４】
本発明のさらに他の側面によれば、少なくとも１つの入力要素を含むメニュー情報上に、入力要素選択情報を表示する方法において、現在選択されている入力要素から他の入力要素に、入力要素選択の移動を要請される段階、前記要請によって選択される入力要素が何であるかを表示するためのプレビュー情報を生成する段階、及び前記プレビュー情報を前記メニュー情報上にディスプレイする段階を含むことを特徴とする入力要素選択情報表示の方法を実行するためのプログラムを保存したコンピュータで読み取り可能な記録媒体を提供できる。
【００１５】
本発明のさらに他の側面によれば、少なくとも１つの入力要素を含むメニュー情報上に、入力要素選択情報を表示する方法において、現在ディスプレイされているメニュー情報に含まれた各入力要素に、前記各入力要素選択のためのアクセスキー表示情報をディスプレイすることを要請される段階、前記要請に相応し、前記各入力要素選択のためのアクセスキー表示情報を、前記各入力要素に表示する段階を含むことを特徴とする入力要素選択情報表示の方法を実行するためのプログラムを保存したコンピュータで読み取り可能な記録媒体を提供することが可能である。
【発明の効果】
【００１６】
本発明によれば、ユーザが入力要素選択の移動を要請する場合、選択される入力要素が何であるかを表示する情報を生成し、これをユーザに提供することによって、ユーザがたやすくメニュー選択を行うことができる。
【図面の簡単な説明】
【００１７】
【図１】ユーザが選択できる多様なインタラクティブ情報を提供するメニュー画面を図示した図である。
【図２】本発明の一実施形態によるボタン選択情報の表示装置を図示する図である。
【図３】本発明の他の実施形態によるボタン選択情報の表示装置を図示する図である。
【図４Ａ】本発明の一実施形態によるボタン選択情報の表示方法を行う場合、メニュー情報に出力されるプレビュー情報を図示した例である。
【図４Ｂ】本発明の一実施形態によるボタン選択情報の表示方法を行う場合、メニュー情報に出力されるプレビュー情報を図示した例である。
【図４Ｃ】本発明の一実施形態によるボタン選択情報の表示方法を行う場合、メニュー情報に出力されるプレビュー情報を図示した例である。
【図４Ｄ】本発明の一実施形態によるボタン選択情報の表示方法を行う場合、メニュー情報に出力されるプレビュー情報を図示した例である。
【図５Ａ】本発明の他の実施形態によるボタン選択情報の表示方法を行う場合、画面に出力されるアクセスキー表示情報を図示した例である。
【図５Ｂ】本発明の他の実施形態によるボタン選択情報の表示方法を行う場合、画面に出力されるアクセスキー表示情報を図示した例である。
【図６】本発明の一実施形態によるボタン選択情報表示方法のフローチャートである。
【図７】本発明の他の実施形態によるボタン選択情報表示方法のフローチャートである。
【図８Ａ】本発明の実施形態によるボタン選択情報表示を要請するために使われるユーザインターフェースを図示した図である。
【図８Ｂ】本発明の実施形態によるボタン選択情報表示を要請するために使われるユーザインターフェースを図示した図である。
【発明を実施するための形態】
【００１８】
本出願は、韓国特許庁に２００８年１月１９日に出願された韓国特許出願番号２００８−２９２６に対して優先権を主張し、その内容が、以下明細書に参照として開示されている。
【００１９】
以下、添付された図面を参照しつつ、本発明の実施形態について具体的に説明する。
【００２０】
図２は、本発明の一実施形態によるボタン選択情報の表示装置を図示している。ボタン選択情報の表示装置２００は、制御部２１０、メニュー構成部２２０、ボタンオブジェクト生成部２３０、プレビュー情報生成部２４０、ユーザ・インターフェース２５０及び出力部２６０を含む。本発明の他の実施形態によれば、ボタン選択表示装置２００は、付加的及び／または他のユニットを含むことができる。同様に、上記ユニットのうち２以上のユニットが１つの成分として集積されもする。ボタン選択情報の表示装置２００は、（コンピュータのような）独立したデバイスであるか、またはテレビ、セットトップボックス、ホームエンターテイメント・デバイス、モバイルテレホン、ＰＤＡ（personal  digital  assistant）、personal  entertainment  device、ブルーレイプレイヤやレコーダ、またはメニューを出力できる他のデバイスに併合されもする。
【００２１】
また、図２には図示していないが、ボタン選択情報の表示装置２００は、付加情報信号を逆多重化する付加情報信号逆多重化部（図示せず）をさらに含むことができる。付加情報信号逆多重化部は、ＡＶ（audio-video）メディア信号についての付加情報信号のうち、メニュー関連付加情報信号をメニュー信号、ボタン信号、プレビュー信号にそれぞれパージングする。付加情報信号逆多重化部は、メニュー信号はメニュー構成部２２０に、ボタン信号はボタンオブジェクト生成部２３０に、プレビュー信号はプレビュー情報生成部２４０にそれぞれ送る。
【００２２】
メニュー構成部２２０は、付加情報信号逆多重化部からメニュー信号を受け、（ボタンのような）入力要素がレイアウト（layout）された、出力部２６０を介して出力されるメニュー画面のようなメニュー情報を生成する。本発明で入力要素はボタンを含み、ユーザは、ボタンを入力要素として利用して所望のメニューを選択できる。メニュー信号は、メニュー情報の背景画面、メニュー情報に含まれている入力要素の位置、サイズ、色相についての情報、（メニュー情報に含まれたボタンがユーザから選択されたボタンであったり）、選択されて実行命令を受けたボタンであったり、または選択されていないボタンであったり、それらボタンの状態を表示する情報、各ボタンが配されるところがどこであるかについての情報などを含む。メニュー構成部２２０は、メニュー信号を基にボタンを所定の位置に配し、ボタンがレイアウトされたメニュー情報を生成し、生成されたメニュー情報を出力部２６０に送る。たとえボタンという用語で記述されているとしても、メニューは、pull-down  boxes、dials、slide  controlsのような他のインタラクティブ・エレメントを含むこともできる。
【００２３】
ボタンオブジェクト生成部２３０は、逆多重化部からボタン信号を受ける。ボタン信号は、メニュー情報に含まれた各ボタンに係わるサイズ、色相、イメージの情報を含むことができる。ボタンオブジェクト生成部２３０は、ボタン信号を利用し、メニュー情報に含まれて羅列されるボタンを構成する。すなわち、ボタンオブジェクト生成部２３０は、ボタン信号を利用し、所定サイズの所定色相を有するボタンを生成する。ユーザが、ユーザ・インターフェース２５０を介して、現在選択されているボタンから所定ボタンにボタン選択移動を要請すれば、制御部２１０は、メニュー構成部２２０が生成したメニュー情報を利用し、現在選択されているボタンの隣接ボタンが何であるかを判断し、このうち、ユーザの要請に相応して選択されねばならないボタンが何であるかを識別する。制御部２１０は、ボタンオブジェクト生成部２３０を制御し、ユーザの要請に相応して選択されねばならないボタンについて、そのボタンが選択されたボタンであることを表示する情報を生成させる。ボタンオブジェクト生成部２３０は、制御部２１０の制御によって、ユーザの要請によって選択されたボタンについて、前記ボタンが選択されたボタンであることを表示する情報を生成し、生成された情報を出力部２６０に送る。ボタンオブジェクト生成部２３０は、例えば、当該ボタンの文字を太く表示したり、文字サイズをさらに大きく表示したり、ボタンの色相を変更する方法などを利用し、所定のボタンが選択されたボタンであることを表示できる。所定のボタンが選択されたボタンであることを表示するために他の方法がまた、使われうる。
【００２４】
プレビュー情報生成部２４０は、逆多重化部からプレビュー信号を受ける。プレビュー情報生成部２４０は、プレビュー信号を利用し、ユーザのボタン選択移動要請によってどのボタンが選択されるボタンであるかを表示する。以下、ユーザが現在選択されているボタンから他のボタンを選択するためにボタン選択移動を要請する場合、どのボタンがユーザから実際に選択されるべきボタンであるかをユーザにあらかじめ知らせるために生成される情報をプレビュー情報という。プレビュー情報生成部２４０は、ユーザ・インターフェース２５０を介して、ユーザからプレビュー情報を生成することを要請されたり、ボタン選択情報の表示装置２００に、プレビュー情報出力が設定されている場合、プレビュー情報を生成できる。制御部２１０は、ユーザからプレビュー情報を生成することを要請されたり、ボタン選択情報の表示装置２００に、プレビュー情報出力が設定されている状態で、ユーザ・インターフェース２５０を介して、ユーザからボタン選択移動を要請されれば、メニュー構成部２２０が生成したメニュー情報を利用し、現在選択されているボタンに隣接したボタンが何であるか、そのうちユーザからのボタン選択移動要請によって、実際選択されるボタンを識別する。制御部２１０は、プレビュー情報生成部２４０を制御し、識別されたボタンが何であるかを知らせ、識別されたボタンについて、プレビュー情報を生成する。プレビュー情報生成部２４０は、逆多重化部から受けたプレビュー信号、及びメニュー構成部２２０から受けた識別されたボタンの位置情報、サイズ情報などを利用し、識別されたボタンが何であるかを表示するプレビュー情報を生成できる。プレビュー情報生成部２４０は、生成されたプレビュー情報を出力部２６０に送る。
【００２５】
ユーザ・インターフェース２５０は、ユーザとのインターフェースを担当し、ユーザの命令を制御部２１０に伝達する。ユーザ・インターフェース２５０は、キーボード、マウス、タッチスクリーンまたはマイクロホンのようなユーザ入力デバイスなどを含む。ユーザ・インターフェース２５０は、ユーザから命令、文字、数字または音声情報などを受け、これを制御部２１０に知らせる。ユーザは、ユーザ・インターフェース２５０を利用し、プレビュー情報生成を要請したり、現在選択されているボタンから、選択されたボタンに隣接した周囲の他のボタンにボタン選択を移動することを要請できる。ユーザ・インターフェース２５０が上下左右を選択できる方向キーを含む場合、ユーザは、方向キーを利用し、現在選択されているボタンから、上下左右のうち１つの方向にボタン選択移動を要請できる。場合によっては、ユーザ・インターフェース２５０は、他の命令を制御部２１０に伝達する他のユーザ・インターフェースとは区別される、プレビュー情報生成のみを要請する専用キーでもありうる。
【００２６】
出力部２６０は、ボタン選択情報の表示装置２００の全般的な状態や、ユーザがユーザ・インターフェース２５０を介して入力した情報などを画面やスピーカーを介して出力する。出力部２６０は、ビデオ信号を出力するディスプレイ部（図示せず）、オーディオ信号を出力するスピーカ（図示せず）などを含むことができる。出力部２６０は、メニュー構成部２２０から受けたメニュー情報に、ボタンオブジェクト生成部２３０から受けたボタンを結合させ、メニュー情報を再構成して出力したり、メニュー構成部２２０から受けたメニュー情報に、プレビュー情報生成部２４０から受けたプレビュー情報を結合させ、メニュー情報を再構成して出力できる。
【００２７】
制御部２１０は、ボタン選択情報の表示装置２００全般の動作を制御し、本発明の実施形態によるボタン選択情報の表示方法を行わせる。制御部２１０は、計算を行うためのＡＬＵ（arithmetic  logic  unit）、データ及び命令語の一時的な保存のためのレジスタを含むことができる。制御部２１０は、ユーザ・インターフェース２５０を介して、ユーザから現在選択されているボタンから他のボタンにボタン選択移動を要請されれば、メニュー構成部２２０が生成したメニュー情報を利用し、現在選択されているボタンに隣接したボタンが何であるか、そのうち、ユーザからのボタン選択移動要請によって選択されるボタンが何であるかを識別する。たとえ要求されるものではないにしても、制御部２１０は、一つ以上のプロセッサによって遂行されもする。
【００２８】
制御部２１０は、ボタン選択情報の表示装置２００にプレビュー情報出力が設定されていたり、ユーザからプレビュー情報生成を要請された場合には、ユーザからのボタン選択移動要請によって、選択されるボタンが何であるかをプレビュー情報生成部２４０に知らせ、プレビュー情報生成部２４０を制御し、識別されたボタンについてプレビュー情報を生成する。制御部２１０は、ボタン選択情報の表示装置２００にプレビュー情報出力が設定されてユーザから、プレビュー情報生成を要請されてもいない場合には、ユーザからのボタン選択移動要請によって、選択されるボタンが何であるかをボタンオブジェクト生成部２３０に知らせ、そのボタンがユーザによって新たに選択されたボタンであることを表示する情報を生成させる。ボタンオブジェクト生成部２３０は、制御部２１０が知らせたボタンが、新たに選択されたボタンであることを表示する情報を生成し、これを出力部２６０に送る。
【００２９】
図３は、本発明の他の実施形態によるボタン選択情報の表示装置を図示する。ボタン選択情報の表示装置３００は、制御部３１０、メニュー構成部３２０、ボタンオブジェクト生成部３３０、アクセスキー表示情報生成部３４０、ユーザ・インターフェース３５０及び出力部３６０を含む。図３のボタン選択情報の表示装置３００に含まれた構成要素のうち、アクセスキー表示情報生成部３４０を除外した残りの構成要素は、図２のボタン選択情報の表示装置２００に含まれた、対応する構成要素と行うところが類似している。従って、これについての具体的な説明は省略する。
【００３０】
ボタン選択情報の表示装置３００は、付加情報信号を逆多重化する付加情報信号逆多重化部（図示せず）をさらに含むことができる。付加情報信号逆多重化部は、ＡＶメディア信号についての付加情報信号のうち、メニュー関連付加情報信号をメニュー信号、ボタン信号、アクセスキー信号にそれぞれパージングする。付加情報信号逆多重化は、メニュー信号は、メニュー構成部３２０に、ボタン信号はボタンオブジェクト生成部３３０に、アクセスキー信号はアクセスキー表示情報生成部３４０にそれぞれ送る。
【００３１】
メニュー構成部３２０は、出力部３６０を介して出力されるメニュー情報を生成する。アクセスキー表示情報生成部３４０は、付加情報信号逆多重化からアクセスキー信号を受け、ユーザのアクセスキー表示情報の生成要請に相応し、アクセスキー表示情報を生成する。以下、ユーザがたやすくボタンを選択するために各ボタンに付与されたボタン固有の識別情報をアクセスキー表示情報といい、メニュー情報に含まれたアクセスキー表示情報生成についての情報をアクセスキー情報という。アクセスキー表示情報の生成についての情報は、メニュー信号エンコーディング装置（図示せず）によって、各ボタンについて割り当てられる。
【００３２】
アクセスキー表示情報生成部３４０は、ユーザがアクセスキー表示情報の生成を要請すれば、現在ディスプレイされているメニュー情報に含まれた各ボタンについて、各ボタン選択のためのアクセスキー情報が割り当てられているか否かを判断する。現在ディスプレイされているメニュー情報に含まれたボタンに対して割り当てられたアクセスキー情報がある場合、アクセスキー表示情報生成部３４０は、アクセスキー情報、各アクセスキー情報が割り当てられた各ボタンの位置及びサイズ情報などを利用し、各ボタンについてのアクセスキー表示情報を生成する。アクセスキー表示情報生成部３４０は、生成されたアクセスキー表示情報を出力部３６０に送る。出力部３６０は、メニュー構成部３２０から受けたメニュー情報と、アクセスキー表示情報生成部３４０から受けたアクセスキー情報とを結合させ、メニュー情報を再構成してこれを出力する。
【００３３】
ユーザは、ユーザ・インターフェース３５０を介して、制御部３１０に現在ディスプレイされているメニュー情報に含まれている各ボタンに対して、各ボタンを選択するためのアクセスキー表示情報をディスプレイすることを命令する。場合によっては、ユーザ・インターフェース３５０は、他の命令を制御部３１０に伝達するユーザ・インターフェースとは区別される、アクセスキー表示情報のみを要請する専用キーでありうる。制御部３１０は、ユーザ・インターフェース３５０を介したアクセスキー表示情報ディスプレイ要請によって、アクセスキー表示情報生成部３４０を制御し、アクセスキー表示情報を生成させ、出力部３６０を制御して生成されたアクセスキー表示情報を出力させる。
【００３４】
図４Ａないし図４Ｄは、本発明の一実施形態によるボタン選択情報の表示方法を行う場合、メニュー情報に出力されるプレビュー情報を図示した例である。図４Ａは、現在出力部２６０に出力されているメニュー情報（画面）を図示した図であり、図４Ａに図示されているように、サブタイトルについての言語情報のうち、「Korean」が他の文字より大きい文字で表示されていることが分かる。これは、ユーザがメニュー情報のうち、サブタイトルについての言語情報として「Korean」を選択していることを表示する。
【００３５】
図４Ｂは、ユーザがメニュー情報のうち、オーディオについての情報を選択しようとして、右側ボタンを入力してボタン選択移動命令を行う場合、従来方法による場合に選択されるボタンを図示した図である。ユーザが、（方向キーなどの）現在選択されているボタンの右側ボタンを選択すれば、制御部２１０は、メニュー構成部２２０が生成したメニュー情報を利用し、現在選択されているボタン（すなわち、サブタイトルのうち「韓国語」）の隣接ボタンが何であるか、隣接ボタンのうち、ユーザが要請した右側方向に位置したボタンが何であるかを識別し、これをボタンオブジェクト生成部２３０に知らせる。ボタンオブジェクト生成部２３０は、識別されたボタンの位置、サイズ情報などを利用し、ユーザのボタン入力によって新たに選択されたボタンが何であるかを表示する情報を生成する。ボタンオブジェクト生成部２３０は、ユーザが新たに選択したボタンが、オーディオ英語についての情報であることを表示するために、他のボタンより大きい字体で、「English」が表示されたボタンを生成する。出力部２６０は、メニュー構成部２２０が生成したメニュー情報上に、ボタンオブジェクト生成部２３０が生成したボタンを結合し、メニュー情報を再構成し、これを図４Ｂのように出力する。
【００３６】
図４Ｃ及び図４Ｄは、本発明の実施形態による場合に出力されるプレビュー情報を図示している。ユーザが図４Ａの画面で、方向キーなどで右側ボタンを入力し、右側にボタン選択移動を命令すれば、制御部２１０は、メニュー構成部２２０が生成したメニュー情報を利用し、現在選択されているボタン（すなわち、サブタイトルのうち「Korean」）の隣接ボタンが何であるか、隣接ボタンのうち、ユーザが要請した右側方向に位置したボタンが何であるかを識別する。制御部２１０は、これをプレビュー情報生成部２４０に知らせる。プレビュー情報生成部２４０は、識別されたボタンの位置及びサイズ情報を参照し、選択されねばならないボタンについて、プレビュー情報を生成する。図４Ｃで、プレビュー情報は、選択されるボタンを点線で表示している。画面は、ユーザが選択したメニュー情報が、サブタイトルのうち「Korean」であり、ユーザが右側ボタンを入力すれば、オーディオ情報のうち「English」に、メニュー選択が移動することを図示している。
【００３７】
図４Ｄは、現在選択されているボタンと、ユーザから選択されるボタンとを点線で連結し、プレビュー情報を表示している。この場合にも、図４Ｃと同様に、図４Ｄは、ユーザが選択したメニュー情報は、サブタイトルのうち「Korean」であり、ユーザが方向キーの右側ボタンを入力すれば、オーディオ情報のうち「English」にメニュー選択が移動することを表示する。ユーザは、図４Ｃ及び図４Ｄの画面を利用して選択されるボタンが何であるかを容易に把握することによって、不要な選択をしないこととなる。ユーザは、プレビュー情報を利用て、右側ボタンを入力する場合、選択されるボタンが何であるかを把握した後、再び右側ボタンを入力したり、他のユーザ・インターフェースを利用し、ボタン選択移動を要請することによって、右側のボタンを選択できる。これについての詳細な説明は、図８で説明する。
【００３８】
図５Ａと図５Ｂは、本発明の他の実施形態によるボタン選択情報の表示方法を行う場合に画面に出力されるアクセスキー表示情報を図示している。出力部３６０を介して図５Ａのような画面がディスプレイされる場合、ユーザは、ユーザ・インターフェース３５０を利用し、ボタン選択情報の表示装置３００にアクセスキー表示情報をディスプレイすることを要請できる。ユーザの要請に相応し、アクセスキー表示情報生成部３４０は、現在ディスプレイされているメニュー情報に含まれた各ボタンに対して、ボタン選択のためのアクセスキー情報が割り当てられているか否かを判断し、アクセスキー情報が割り当てられている場合、これを利用し、アクセスキー表示情報を生成する。アクセスキー表示情報生成部３４０は、アクセスキー情報が割り当てられた各ボタンの位置情報並びにサイズ情報を確認し、各ボタンに割り当てられたアクセスキー情報、各ボタンの位置情報並びにサイズ情報を利用し、アクセス表示情報を生成できる。アクセスキー表示情報生成部３４０は、生成されたアクセス表示情報を出力部３６０に送る。出力部３６０は、メニュー構成部３２０からメニュー情報を受け、アクセスキー表示情報生成部３４０からアクセス表示情報を受け、これを結合してメニュー情報を再構成し、再構成されたメニュー情報を図５Ｂのように画面に出力する。ユーザは、図５Ｂの画面で、各ボタンに付与されたアクセスキー表示情報を利用し、所望のボタンをたやすく選択できる。例えば、ユーザがTitle ２を選択しようとする場合、ユーザは、ユーザ・インターフェース３５０を利用し、１番キーを入力することによって、たやすく所望のボタンを選択できる。
【００３９】
図６は、本発明の一実施形態によるボタン選択情報の表示方法を示したフローチャートである。ユーザ・インターフェース２５０は、ユーザからボタン選択移動を要請される（段階６１０）。制御部２１０は、ユーザのボタン選択移動によって選択されるボタンを識別する（段階６２０）。このために、制御部２１０は、メニュー構成部２２０が生成したメニュー情報を利用し、ユーザが現在選択しているボタンが何であるか、及び現在選択されているボタンの隣接ボタンが何であるかを識別し、ユーザのボタン選択移動要請によって選択されるボタンが何であるかを識別する。ボタン選択情報の表示装置２００が、プレビュー情報生成を行うように設定されたり、ユーザからプレビュー情報生成を要請された場合、制御部２１０は、プレビュー情報生成部２４０に、選択されるボタンが何であるかを知らせ、プレビュー情報生成部２４０を制御し、プレビュー情報を生成させる。プレビュー情報生成部２４０は、選択されるボタンが何であるかを表示するプレビュー情報を生成する（段階６３０）。プレビュー情報は、図４Ｃ及び図４Ｄで説明した通り、選択されるボタンが何であるかを表示する点線などになりうる。プレビュー情報生成部２４０は、生成されたプレビュー情報を出力部２６０に送る。出力部２６０は、生成されたプレビュー情報をメニュー構成部２２０から受けたメニュー情報に結合し、メニュー情報を再構成し、再構成されたメニュー情報を出力する（段階６４０）。
【００４０】
図７は、本発明の他の実施形態によるボタン選択情報の表示方法を示したフローチャートである。制御部３１０は、ユーザ・インターフェース３５０を介して、ユーザからアクセスキー表示情報をディスプレイすることを要請される（段階７１０）。制御部３１０は、ユーザのアクセスキー表示情報ディスプレイ要請によって、現在出力部３６０を介して出力される画面に含まれた各ボタンについて、アクセスキー情報が割り当てられているか否かを判断する（段階７２０）。制御部３１０は、ボタンにアクセスキー情報が割り当てられている場合、アクセスキー表示情報生成部３４０を制御し、アクセスキー表示情報を生成させる。アクセスキー表示情報生成部３４０は、アクセスキー情報を利用し、アクセスキー表示情報を生成し（段階７３０）、生成されたアクセスキー表示情報を出力部３６０に送る。出力部３６０は、メニュー構成部３２０から受けたメニュー情報に、アクセスキー表示情報生成部３４０から受けたアクセスキー表示情報を結合し、メニュー情報を再構成し、再構成されたメニュー情報を出力する（段階７４０）。ユーザは、出力部３６０を介して出力されたアクセスキー表示情報を利用し、所望のボタンをたやすく選択できる。
【００４１】
図８Ａ及び図８Ｂは、本発明の実施形態によるボタン選択情報表示を要請するために使われるユーザ・インターフェースを図示した図である。図８Ａに図示されているように、プレビュー要請のためにpreviewボタン８１０が別途に備わっている。図８Ａのユーザ・インターフェースは、ユーザがpreviewボタン８１０を１回押せば、プレビュー機能が設定され、ユーザがpreviewボタン８１０をもう１回押せば、プレビュー機能が解除されるように構成されうる。ユーザがpreviewボタン８１０を１回押してプレビュー機能が設定された状態で、ユーザが方向キー８２０を入力してボタン選択移動を命令すれば、制御部２１０は、現在選択されているボタンの隣接ボタンが何であるかを確認し、隣接ボタンのうち、ユーザの方向キー８２０の入力によって選択されるボタンが何であるかを識別し、プレビュー情報生成部２４０を制御し、識別されたボタンについてのプレビュー情報を生成させる。図８Ａのユーザ・インターフェースは、previewボタン８１０を具備しているが、場合によっては、previewボタン８１０の代わりに、アクセスキー表示情報ボタン（図示せず）を含むこともできる。この場合、ユーザがアクセスキー表示情報ボタンを押せば、アクセスキー表示情報生成部３４０は、出力部３６０に出力される画面に含まれたボタンについてアクセスキー表示情報を生成し、出力部３６０は、アクセスキー表示情報が出力された画面をディスプレイできる。
【００４２】
図８Ｂのユーザ・インターフェースは、プレビュー要請のために別途のボタンを具備せず、方向キー８３０に、二段押しを支援してプレビュー機能を利用できるように構成される。方向キー８３０が半押し状態である場合には、プレビュー機能が設定され、完全押し状態では、プレビュー機能が解除されるように構成されうる。ユーザが半押し状態で方向キー８３０を押せば、プレビュー機能が設定され、ボタン選択情報の表示装置２００は、ユーザが押した方向の隣接ボタンについてプレビュー情報を生成し、これを出力する。ユーザが完全押し状態で方向キー８３０を入力すれば、プレビュー機能が解除され、ユーザ所望の方向にボタン選択が移動する。
【００４３】
本発明の他の実施形態は、コンピュータで読み取り可能な記録媒体に、コンピュータで読み取り可能なコードで具現されもする。コンピュータで読み取り可能な記録媒体は、コンピュータシステムによって読み取り可能なデータを保存するいかなるデータ保存デバイスでもある。コンピュータで読み取り可能な記録媒体の例はまた、ＲＯＭ（read-only  memory）、ＲＡＭ（random-access  memory）、ＣＤ−ＲＯＭ、マグネチックテープ、フロッピー（登録商標）ディスク、光データ保存デバイスなどになりうる。本発明の実施形態はまた、キャリアウェーブ（インターネットを介した伝送データなど）で具現されうる。コンピュータで読み取り可能な記録媒体は、コンピュータで読み取り可能なコードが保存されて実行され、またコンピュータシステムに連結されたネットワークを介して分布されもする。また、発明が属する技術分野で熟練されたプログラマによって本発明を達成するための機能的なプログラム、コード、またはいかなるコードセグメントも容易に具現されうる。
【００４４】
たとえいくつかの実施形態が記載されているにしても、本発明が属する技術分野で当業者であるならば、特許請求の範囲に記載された保護範囲を有する発明の原理と思想とを外れない範囲で変形を加えることができるであろう。
【図１】
2011509482.tif 000003
【図２】
2011509482.tif 000004
【図３】
2011509482.tif 000005
【図４Ａ】
2011509482.tif 000006
【図４Ｂ】
2011509482.tif 000007
【図４Ｃ】
2011509482.tif 000008
【図４Ｄ】
2011509482.tif 000009
【図５Ａ】
2011509482.tif 000010
【図５Ｂ】
2011509482.tif 000011
【図６】
2011509482.tif 000012
【図７】
2011509482.tif 000013
【図８Ａ】
2011509482.tif 000014
【図８Ｂ】
2011509482.tif 000015
【国際調査報告】
2011509482.tif 000016
2011509482.tif 000017